(57)【要約】 【課題】  本発明は、遊技客に対する利便性を低下させることなく、また、遊技島構成において、大幅な遊技島構成の変更を必要とせず、コストを低減させることが可能な紙幣搬送ユニットの投入口を提供することを目的とする。【解決手段】  投入口と搬送路とから成る紙幣搬送ユニットを遊技台配列方向に沿って備えた紙幣搬送装置において、投入口を択一的に選択可能に左右動する投入口カバーと、左右動に連動し、紙幣識別装置内に導くＲ通路部材から成る紙幣投入部を、上記紙幣搬送ユニットに設けた投入口の前面に取り付けたことを特徴とすることにより達成される。【選択図】    図２
2005261516.tif 000002
【特許請求の範囲】
【請求項１】
投入口と搬送路とから成る紙幣搬送ユニットを遊技台配列方向に沿って備えた紙幣搬送装置において、
投入口を択一的に選択可能に左右動する投入口カバーと、
左右動に連動し、紙幣識別装置内に導くＲ通路部材から成る紙幣投入部を、
上記紙幣搬送ユニットに設けた投入口の前面に取り付けたことを特徴とする紙幣搬送ユニットの投入口。
【発明の詳細な説明】
【技術分野】
【０００１】
本発明は、パチンコ、スロットマシン遊技島の遊技設備として、遊技台に連接し遊技島に配列された遊技媒体貸出装置と、遊技台上方近傍に位置し、配列方向に沿って紙幣を搬送する紙幣識別装置を備えた紙幣搬送ユニットの投入口に関するものである。  
【０００２】
パチンコ、スロットマシン遊技店の遊技島においては、パチンコ台やスロットマシン等の遊技台を横方向、直線的に配列し、遊技台の一台毎に遊技客に遊技媒体を供給する遊技媒体貸出装置が連接されている。昨今の遊技島（主にスロットマシン島）においては、遊技客の上方近傍の取付部材に投入口を設けた紙幣識別装置と紙幣搬送装置と配列方向に沿って取り付けられ、該紙幣搬送装置によって紙幣を搬送していた。
【特許文献１】特開２００３−５３０１４
【０００３】
前述した特許文献１は、遊技台２台と、前記遊技台と一対となる遊技媒体貸出装置２台に対し紙幣識別装置を１台設けた構成としている。また、遊技客の上方に設けた前記紙幣識別装置の紙幣投入部には、どちらの遊技客が投入したかを確認する払い出し方向確認用フラッパーと、左右一対の押しボタンを設け、遊技客は前記払い出し方向確認用フラッパーと前記押しボタンを操作し紙幣を投入することで、使用した遊技客が遊技する遊技台と一対となる遊技媒体貸出装置から遊技媒体が払い出される構成となっていた。
【０００４】
しかし、遊技客の上方に位置する投入口は、紙幣を長立姿勢で投入を行うので、遊技客にとっては紙幣を投入しづらく不便であった。また、払い出し方向確認フラッパー、押しボタンの操作も上方で行うので操作しづらかった。そこで、紙幣を長立姿勢で投入するのではなく横立姿勢に紙幣を投入可能な投入口を備えた紙幣識別装置を内蔵した紙幣搬送ユニットが下記文献にて開示されている。      
【特許文献２】特開２００３−２６５８４０
【０００５】
前述した特許文献２は、遊技台上方近傍に位置し、取付部材（ランプ板）と遊技設備（たとえば呼び出しランプ等）の間に紙幣搬送ユニットを設け、各遊技台毎に遊技媒体貸出装置と紙幣識別装置を連列した構成となっている。遊技客は横立姿勢に投入可能な投入口に紙幣を投入すると、前記紙幣は前記紙幣識別装置内で真偽判定され、真の場合、紙幣搬送ユニットが連列した紙幣搬送装置により島端の紙幣金庫に一括収集する構成となっている。
【発明の開示】
【発明が解決しようとする課題】
【０００６】
しかしながら、特許文献２の構成とした遊技島は、各遊技台毎に遊技媒体貸出装置と紙幣識別装置を配置するので、遊技客による利便性は向上するが、特許文献１に比べ、遊技媒体貸出装置の設置数が多くコストダウンできなかった。また、特許文献１では、投入口の中央に払い出し方向確認用フラッパーが位置しているため、遊技客による無理な投入、双方向同時投入などの人的トラブルは生じていた。さらに、紙幣識別装置は遊技客の上方に位置するため、払い出し方向確認用フラッパーの向きがわかりづらく、遊技客は誤操作する心配を与え、使用しにくかった。
本発明は、遊技客に対する利便性を低下させることなく、また、遊技島構成において、大幅な遊技島構成の変更を必要とせず、導入コストを低減させることが可能な紙幣搬送ユニットの投入口を提供することを目的とする。
【課題を解決するための手段】
【０００７】
本発明の請求項１によれば、投入口と搬送路とから成る紙幣搬送ユニットを遊技台配列方向に沿って備えた紙幣搬送装置において、投入口を択一的に選択可能に左右動する投入口カバーと、左右動に連動し、紙幣識別装置内に導くＲ通路部材から成る紙幣投入部を、上記紙幣搬送ユニットに設けた投入口の前面に取り付けたことを特徴とすることにより達成される。
【発明の効果】
【０００８】
本発明によれば、紙幣は横立姿勢に投入可能なので、遊技客は投入し易く、さらに、投入口が左右動することにより、遊技客に戸惑いを与えず、人的トラブルを軽減でき、利便性を低下させることがない。また、遊技台２台に対し、遊技媒体貸出装置１台、紙幣識別装置１台の構成で行えるので、遊技媒体貸出装置の設置数を減らすことができ、大幅なコストダウンが可能になる。
【実施例１】
【０００９】
以下、各図面に基づき本発明の紙幣搬送ユニットの投入口を詳細に説明する。  図1は遊技島１の構成を示す正面図であり、図２は取付部材１ａに設置した紙幣搬送装置と本発明の投入口カバー１１の構成を示した外観斜視図である。  図１に示す様に、遊技島１は、横方向、直線的に配列された遊技台３（図中ではスロットマシン）と、紙幣を投入した遊技客に遊技媒体を払い出す遊技媒体貸出装置５と、前記遊技媒体貸出装置５と交互に成し遊技台３の２台の間に配置された隙間板１ｃと、遊技台３の上方近傍に位置する取付部材１ａと呼び出しランプ１ｂの間に設置され遊技客が投入した紙幣を遊技島端に搬送する紙幣識別装置７を備えた紙幣搬送ユニット９とから構成されている。遊技媒体貸出装置５は遊技台３の２台の間に配置され、同じく遊技台３の２台の間に配置された隙間板１ｃと交互に連列されている。紙幣搬送ユニット９に備えた紙幣識別装置７は、遊技媒体貸出装置５の上方近傍に位置し、前記紙幣識別装置７は投入口カバー１１に覆われている。前記投入口カバー１１には鍵１１ｄが設けられ、営業時間でのセキュリティー（遊技客による悪戯、破壊行為等）を防いでいる。また、遊技客が紙幣を紙幣識別装置７に入れ易いように案内路の役目も担っている。投入口カバー１１は遊技媒体貸出装置５と同様に、１つ置きに配置されるため、隙間板１ｃの上方近傍には配置されていない。  
【００１０】
図３、図４は、本発明である紙幣搬送ユニットの投入口の外観斜視図を示すものである。投入口カバー１１は、紙幣識別装置７に覆うように嵌合するカバー本体１１ａと、遊技客が紙幣を投入する投入口１３ａと切替レバー１３ｂを設け左右動する紙幣投入部１３と、から構成されている。また、カバー本体１１には正面中央に成形された中央壁１１ｂと、正面左右上部の確認ライト１１ｃと、前記カバー本体１１ａに設け前記紙幣識別装置７のセキュリティーのため施錠を行う鍵１１ｄと、切替レバー１３ｂの凸部に接触し、左右どちらの遊技者が投入したかを認識する切替スイッチ１１ｅが設けられている。紙幣投入部１３は切替レバー１３ｂの左右動に連動し、カバー本体１１ａの内部の円弧状に沿って可動し、投入口１１ａを右方向、左方向に可動することができる。このように、投入口１３ａが右方向、左方向に可動し、択一的に選択することで紙幣が投入し易い向きになる。  
【００１１】
図５、図６は紙幣投入部１３の断面図を示すものである。紙幣投入部１３は、カバー本体１１ａの円弧状に沿って左右動し、前記紙幣投入部の投入口１３ａの背面に連接した複数のＲ通路部材１３ｃと、紙幣識別装置７の識別部投入口７ａに挿入するＲ通路終端部材１３ｂとから構成される。Ｒ通路部材１３ａは紙幣投入部１３の投入口１３ａと識別部投入口７ａとをＲ通路部材１３ｃ同士の嵌合により接続し、Ｒ状の搬送路を形成する。遊技客は投入口１３ａより紙幣を形成されたＲ状の搬送路に沿って投入することで、紙幣識別装置７に挿入していく。よって、投入口１３ａから投入された紙幣はＲ状の搬送路に沿って確実に紙幣識別装置７の内部に取り込まれていく。図に示すように、紙幣識別装置７に近いＲ通路終端部材１３ｂは保持され、投入口１３ａの背面側に接続したＲ通路部材１３ｃが左右動に伴って首振り作用する。図中ではＲ通路部材１３ｃは２個連接しているが、個数は限定しない。  
【００１２】
図６は本発明である投入口カバー１１の使用した紙幣識別装置７の外観構成図を示す図である。  紙幣識別装置７は、紙幣搬送ユニット９に設けられ、紙幣を受け入れる識別部投入口７ａと、投入口カバー１１の設けられた鍵１１ｄと嵌合し施錠を行う凹部７ｂと、左右動しない投入口カバー１５を取り付ける際に使用するスイッチ部７ｃと、左右動する投入口カバー１１を取り付ける際に接続する接続コネクタ７ｄとから構成されている。紙幣識別装置７は、遊技客より投入された紙幣の真偽判別、金種判別を行い、紙幣を受け入れるように構成され、紙幣の識別はセンサー類（透過センサー、反射センサー、磁気センサーなど。図示せず）を紙幣識別装置７内部の紙幣搬送路の近傍にて固定配置し、前記センサー類にて紙幣全体からデータ（絵柄、紙幣長さ、紙幣の透過率、磁気など）の検出を行い、前記データを予め判別を行うプログラム上に設定した基準値と比較することにより、真偽判別、金種判別を可能としている。
【００１３】
左右動しない投入口カバー１５を紙幣識別装置７に取り付ける際、投入口カバー１５の背面内部に設けられた円筒状の凸部（図示せず）が、スイッチ部７ｃに挿入し、営業状態になる。スイッチ部７ｃに挿入されることで紙幣識別装置７は投入口１５ａが左右動しないことを認識する。また、左右動する投入口カバー１１の場合は、背面内部にコネクタ（図示せず）が設けられ、紙幣識別装置７に設けられた接続コネクタ７ｄに接続する。投入口カバー１１の背面内部にはスイッチ部７ｃに挿入する円筒状の凸部が設けられていないため、前記スイッチ部７ｃには嵌合しない。紙幣識別装置７はスイッチ部７ｃではなく接続コネクタ７ｄに接続されることで左右動する投入口カバー１１を認識する。左右動する投入口カバー１１の確認ライト１１ｃ、切替スイッチ１１ｅの電力、または、データの出力は背面内部のコネクタに一括収集され、接続コネクタ７ｄを介し、電源の供給、データの出力を行う。
【００１４】
次に、本発明における作用について説明する。遊技客が紙幣を投入する際、切替レバー１３ｂを遊技客自身の方へ傾け、投入口１３ａを自身の方へ向ける。その際、切替レバー１３ｂに成形された凸部がカバー本体１１ａの左右に設けた切替スイッチ１１ｅへ押し込み、押された側の上部に設けた確認ライト１１ｃが下方向に発光する。そのため、投入口１３ａを照らし出し明確になる。この動作により、紙幣投入可能状態になり、遊技客から投入される紙幣はＲ通路部材１３ｃから成るＲ通路に沿って紙幣識別装置７の識別部投入口７ａに進入する。識別された紙幣が真の場合、その下方に位置する遊技媒体貸出装置５から遊技媒体が払い出される。左動、右動共にどちらも同一の動作を行う。切替スイッチ１１ｅが切替レバー１３ｂの凸部にて押された際、どちらの遊技客の投入かを認識し、金種などの投入データを接続コネクタ７ｄを介し、遊技島１の島端に設置された管理装置に送られる。  
【００１５】
このように、投入口カバー１１が左右動することで、遊技台３が２台に対し、紙幣識別装置７と遊技媒体貸出装置５を１台設置するだけで構成可能であり、遊技場での遊技島１の施工にかけるコストは大幅に低減できる。また、従来の投入口カバー１５から本発明の投入口カバー１１に変更するだけなので、施工時間が短縮でき、遊技場を自由な構成にすることが容易にできる。また、切替レバー１３ｂを操作する際、操作しない側では投入口１３ａは出てこないため、遊技客による同時挿入などの人的トラブルが置きにくい。さらに、確認ライト１１ｃにより投入口１３ａを照らし出すことにより、薄暗いスロットマシン島で投入口１３ａが明確になり、遊技客は投入し易い。遊技客による操作は切替レバー１３ｂのみなので、遊技客に誤操作などの心配を与えることはないので、遊技客に対する利便性を低下させることはない。
【図面の簡単な説明】
【００１６】
【図１】遊技島の構成を示す正面図である。
【図２】本発明の概略構成を示す外観斜視図である。
【図３】本発明の投入口カバーを示す外観斜視図である。
【図４】本発明の投入口カバーを示す外観斜視図である。
【図５】投入部の断面を示す図である。
【図６】投入部の断面を示す図である。
【図７】投入口カバーと紙幣識別装置の外観構成を示す図である。
【図８】従来の実施例を示す図である。
【符号の説明】
【００１７】
１      遊技島１ａ    取付部材１ｂ    呼び出しランプ１ｃ    隙間板３      遊技台５      遊技媒体貸出装置７      紙幣識別装置７ａ    識別部投入口７ｂ    凹部７ｃ    スイッチ部７ｄ    接続コネクタ９      紙幣搬送ユニット１１    投入口カバー１１ａ  カバー本体１１ｂ  中央壁１１ｃ  確認ライト１１ｄ  鍵１１ｅ  切替スイッチ１３    紙幣投入部１３ａ  投入口１３ｂ  切替レバー１３ｃ  Ｒ通路部材１３ｄ  Ｒ通路終端部材１５    投入口カバー１５ａ  投入口
【図１】
2005261516.tif 000003
【図２】
2005261516.tif 000004
【図３】
2005261516.tif 000005
【図４】
2005261516.tif 000006
【図５】
2005261516.tif 000007
【図６】
2005261516.tif 000008
【図７】
2005261516.tif 000009
【図８】
2005261516.tif 000010